(57)【要約】【課題】著作権保護を希望する複数の使用者にて利用することが容易で、かつ、複数の使用者の個人情報や著作権情報を予め登録管理しなくても、使用者固有の著作権情報を確実に埋め込んだデータを生成することができるデータ生成装置を提供することである。【解決手段】操作者の著作権情報を外部ユニット（２００）から非接触的に取得する著作権情報取得手段（１５、１６、１７）と、操作者の操作に基づいてデータを生成するデータ生成手段（２０、１１、１２、１３、１７）と、前記データ生成手段にて生成されたデータに前記著作権情報取得手段にて取得された著作権情報を埋め込む著作権情報埋め込み手段（１３、１７）とを有する構成となる。【選択図】  図１
2004343310.tif 000002
【特許請求の範囲】
【請求項１】
操作者の著作権情報を外部ユニットから非接触的に取得する著作権情報取得手段と、
操作者の操作に基づいてデータを生成するデータ生成手段と、
前記データ生成手段にて生成されたデータに前記著作権情報取得手段にて取得された著作権情報を埋め込む著作権情報埋め込み手段とを有することを特徴とするデータ生成装置。
【請求項２】
著作権情報とその著作権情報の使用可能な操作者を特定する操作者識別情報とを外部ユニットから非接触的に取得する情報取得手段と、
操作者の操作に基づいてデータを生成するデータ生成手段と、
操作者の操作に基づいて当該操作者を特定する操作者識別情報を入力する入力手段と、
前記入力手段により入力された操作者識別情報が前記情報取得手段にて取得された操作者識別情報と一致するか否かを判定する判定手段と、
前記入力手段により入力された操作者識別情報が前記情報取得手段にて取得された操作者識別情報と一致するとの判定が前記判定手段にてなされたときに、前記情報取得手段にて取得された著作権情報を前記データ生成手段にて生成されたデータに埋め込む著作権埋め込み手段とを有することを特徴とするデータ生成装置。
【請求項３】
前記情報取得手段は、著作権情報とその著作権情報を使用可能な複数の操作者を特定する複数の操作者識別情報とを外部ユニットから非接触的に取得し、
前記判定手段により前記入力手段により入力された操作者識別情報が前記情報取得手段にて取得された複数の操作者識別情報のいずれかに一致するとの判定がなされたときに、前記著作権埋め込み手段が前記著作権情報を前記データに埋め込むことを特徴とする請求項２記載のデータ生成装置。
【請求項４】
前記情報取得手段は、複数の著作権情報と各著作権情報について使用可能な一または複数の操作者を特定する一または複数の操作者識別情報とを外部ユニットから非接触的に取得し、
前記判定手段により前記入力手段により入力された操作者情報が前記情報取得手段にて取得された複数の操作者識別情報のいずれかに一致するとの判定がなされたときに、前記著作権埋め込み手段が前記入力手段により入力された操作者識別情報にて特定される操作者が使用可能な著作権情報を前記データに埋め込むことを特徴とする請求項２記載のデータ生成装置。
【発明の詳細な説明】
【０００１】
【発明の属する技術分野】
本発明は、静止画データ、動画像データ、音声データ等のデータを生成するデータ生成装置に係り、詳しくは、操作者の著作権情報を含むデータを生成するデータ生成装置に関する。
【０００２】
【従来の技術】
従来、撮影された画像に著作権情報を埋め込むことのできるカメラが提案されている（例えば、特許文献１）。このカメラでは、著作権情報の記憶部を有する外部装置をカメラ本体に装着し、その外部装置の記憶部から著作権情報を読み出し、その著作権情報を撮影画像に埋め込むようにしている。このようなカメラでは、カメラ本体から前記外部装置を取り外し、新たな外部装置をカメラ本体に装着することにより、撮影画像に埋め込むべき著作権情報を変更することができる。
【０００３】
また、従来、電子透かしの埋め込み機能及び使用者の登録機能を有する電子撮影装置が提案されている（例えば、特許文献２）。この従来の電子撮影装置では、予め使用者を特定する個人情報が登録される。この個人情報として指紋、声紋等が用いられる。そして、画像撮影に際して、使用者の個人情報（例えば、指紋）の検出がなされ、その検出された個人情報と登録された個人情報との照合がなされる。それらの個人情報が一致すれば、画像撮影が許可される。更に、検出された前記個人情報（例えば、指紋）が電子透かしとして撮影画像に埋め込まれる。これにより作成された画像データの著作権保護を実現している。
【０００４】
【特許文献１】
特開平７−３６０９８号公報
【特許文献２】
特開２０００−２９５４５８号公報
【０００５】
【発明が解決しようとする課題】
しかし、前記特許文献１に記載される従来のカメラでは、複数の使用者が同じカメラを使用する場合には、その使用者が変わる毎に、カメラ本体から前の使用者の著作権情報が記憶された外部装置をカメラ本体から取り外し、新たな使用者の著作権情報が記憶された外部装置をカメラ本体に装着しなければならない。このため、使用者が頻繁に変わる場合には、その外部装置の着脱の作業がわずらわしく、カメラの貸し借りがし難い。
【０００６】
また、前記特許文献２に記載される従来の電子撮影装置では、使用者の指紋などの個人情報を予め登録しておかなければならいため、多くの使用者による電子撮影装置の使用を可能にするには、予め多くの使用者の個人情報を電子撮影装置に登録しておかなければならない。そのため、特に個人情報として指紋、声紋等などの生体情報を用いる場合には、登録すべき個人情報の情報量が非常に多くなり、非常に多くのメモリ容量が必要になる。また、その多くの登録された個人情報を常に電子撮影装置において管理していなければならない。
【０００７】
本発明は、このような事情に鑑みてなされたものであり、著作権保護を希望する複数の使用者にて利用することが容易で、かつ、複数の使用者の個人情報や著作権情報を予め登録管理しなくても、使用者固有の著作権情報を確実に埋め込んだデータを生成することができるデータ生成装置を提供することである。
【０００８】
【課題を解決するための手段】
本発明に係るデータ生成装置は、操作者の著作権情報を外部ユニットから非接触的に取得する著作権情報取得手段と、操作者の操作に基づいてデータを生成するデータ生成手段と、前記データ生成手段にて生成されたデータに前記著作権情報取得手段にて取得された著作権情報を埋め込む著作権情報埋め込み手段とを有する構成となる。
【０００９】
このような構成により、外部ユニットから操作者の著作権情報が非接触的に取得されると、生成されたデータにその著作権情報が埋め込まれる。従って、操作者は、外部ユニットから自己の著作権情報を著作権情報取得手段に取得させることにより、その著作権情報の埋め込まれたデータを生成することができる。
【００１０】
前記著作権情報取得手段は、外部ユニットから非接触的に著作権情報を取得するものであれば特に限定されない。例えば、外部ユニットとしての非接触ＩＣカードに記憶された著作権情報を読み込む非接触ＩＣカード読込み手段（リーダ／ライタ）や、外部ユニットとしての通信装置（例えば、携帯電話機、ＰＤＡ）から無線送信（例えば、赤外線送信、Ｂｌｕｅｔｏｏｔｈ  等）される著作権情報を受信する無線受信手段（通信ユニット）を前記著作権情報取得手段とすることができる。
【００１１】
前記データ生成手段は、著作権保護が必要となるデータを生成するものであれば特に限定されず、例えば、撮影される静止画像や動画像を表す画像データや映像データを生成するものであっても、音楽等を表す音声データを生成するものであってもよい。
【００１２】
本発明に係るデータ生成装置は、著作権情報とその著作権情報の使用可能な操作者を特定する操作者識別情報とを外部ユニットから非接触的に取得する情報取得手段と、操作者の操作に基づいてデータを生成するデータ生成手段と、操作者の操作に基づいて当該操作者を特定する操作者識別情報を入力する入力手段と、前記前記入力手段により入力された操作者識別情報が前記情報取得手段にて取得された操作者識別情報と一致するか否かを判定する判定手段と、前記入力手段により入力された操作者識別情報が前記情報取得手段にて取得された操作者識別情報と一致するとの判定が前記判定手段にてなされたときに、前記情報取得手段にて取得された著作権情報を前記データ生成手段にて生成されたデータに埋め込む著作権埋め込み手段とを有する構成となる。
【００１３】
このような構成により、外部ユニットから著作権情報とその著作権情報の使用可能な操作者を特定する操作者識別情報とが非接触的に取得され、操作者の操作に基づいて当該操作者を特定する操作者識別情報とが入力されると、入力された操作者識別情報が前記著作権情報とともに非接触的に取得された操作者識別情報とが一致するか否かが判定される。それらの一致判定がなされると、生成されたデータに前記著作権情報が埋め込まれる。従って、操作者は、外部ユニットから自己が使用可能な著作権情報と自己の操作者識別情報を情報取得手段に取得させるとともに、自己の操作者識別情報の入力操作を行うことにより、その著作権情報の埋め込まれたデータを生成することができる。
【００１４】
前記情報取得手段は、外部ユニットから著作権情報とその著作権情報の使用可能な操作者を特定する操作者識別情報とを非接触的に一括して取得するものであっても、外部ユニットから著作権情報を非接触的に取得するユニットと、外部ユニットからその著作権情報の使用可能な操作者を特定する操作者識別情報を非接触的に取得するユニットとが別々であってもよい。また、後者の場合、前記著作権情報を取得すべき外部ユニットと前記操作者情報を取得すべき外部ユニットとは同一のものであっても、別々のものであってもよい。
【００１５】
前記入力手段は、操作者の操作に基づいて操作者識別情報を入力するものであれば特に限定されない。例えば、操作者を特定するパスワードを入力するキーユニット、指紋、声紋、虹彩等の生体データを入力する生体データ検出ユニットを前記入力ユニットとして用いることができる。この入力手段にて制限される操作者識別情報の形式（パスワード形式、生体データ形式等）は、前記情報取得手段にて取得されるべき操作者識別情報の形式に対応するものとなる。
【００１６】
また、本発明に係るデータ生成装置は、前記情報取得手段が、著作権情報とその著作権情報を使用可能な複数の操作者を特定する複数の操作者識別情報とを外部ユニットから非接触的に取得し、前記判定手段により前記入力手段により入力された操作者識別情報が前記情報取得手段にて取得された複数の操作者識別情報のいずれかに一致するとの判定がなされたときに、前記著作権埋め込み手段が前記著作権情報を前記データに埋め込むように構成することができる。
【００１７】
このような構成により、複数の操作者が共通の外部ユニットを用いて同一の著作権情報の埋め込まれたデータを生成することができるようになる。
【００１８】
また、本発明に係るデータ生成装置は、前記情報取得手段が、複数の著作権情報と各著作権情報について使用可能な一または複数の操作者を特定する一または複数の操作者識別情報とを外部ユニットから非接触的に取得し、前記判定手段により前記入力手段により入力された操作者情報が前記情報取得手段にて取得された複数の操作者識別情報のいずれかに一致するとの判定がなされたときに、前記著作権埋め込み手段が前記入力手段により入力された操作者識別情報にて特定される操作者が使用可能な著作権情報を前記データに埋め込むように構成することができる。
【００１９】
このような構成により、複数の操作者が共通の外部ユニットを用いて異なる著作権情報の埋め込まれたデータを生成することができるようになる。
【００２０】
【発明の実施の形態】
以下、本発明の実施の形態について、図面を用いて説明する。
【００２１】
本発明の第一の実施の形態係るデータ生成装置は図１に示すように構成される。このデータ生成装置は、デジタルカメラであって、撮影された静止画像を表す画像データを生成するものである。
【００２２】
図１において、デジタルカメラ１００は、カメラユニット２０、表示ユニット３０（ＬＣＤ）及び操作ユニット４０を有している。カメラユニット２０は、レンズ等の光学系、撮像素子（例えば、ＣＣＤ）、画像信号生成回路などを含み、光学系により映し出される光学画像を撮像素子により画像信号（電気信号）に変換し、その画像信号を出力する。デジタルカメラ１００は、更に、Ａ／Ｄコンバータ１１、イメージＲＡＭ（Ｒａｎｄｏｍ  Ａｃｃｅｓｓ  Ｍｅｍｏｒｙ）１２、データ変換部１３、メモリカードコントローラ１４、ＩＣカードリーダ／ライタ１５、データＲＡＭ１６及びＣＰＵ１７を有している。
【００２３】
Ａ／Ｄコンバータ１１は、カメラユニット２０から出力される画像信号をデジタル化された画素単位の輝度データとなる画像データに変換する。イメージＲＡＭ１２は、Ａ／Ｄコンバータ１１からの画像データをフレーム単位に格納する。イメージＲＡＭ１２に格納されたフレーム単位の画像データは表示ユニット３０に供給され、その画像データにて表される静止画像が表示ユニット３０に表示される。データ変換部１３は、イメージＲＡＭ１３に格納された画像データを所定の形式（例えば、ＪＰＥＧ）となる圧縮画像データに変換し、また、圧縮画像データを復号して表示可能な画像データに変換する。
【００２４】
メモリカードコントローラ１４は、デジタルカメラ１００に装着されたメモリカード３００（例えば、コンパクト・フラッシュメモリ、ＳＤメモリ、スマートメディア等）に対する圧縮画像データの読み出し及び書き込み処理を行う。ＩＣカードリーダ／ライタ１５は、電磁誘導作用を利用して、非接触ＩＣカード２００に対するデータの読み出し及び書き込み処理を行う。非接触ＩＣカード２０には著作権情報が格納されている。データＲＡＭ１６は、ＩＣカードリーダ／ライタ１５によって非接触ＩＣカード２００から読み出されたでデータを一時的に格納する。ＣＰＵ１７は、カメラユニット３０、イメージＲＡＭ１２、データ変換部１３、メモリカードコントローラ１３、ＩＣカードリーダ／ライタ１５及びデータＲＡＭ１６それぞれでの処理を制御する（図１における破線参照）。また、操作ユニット４０は、操作者の操作に応じた指示をＣＰＵ１７に与える。
【００２５】
デジタルカメラ１００の外観は図２に示すようになっている。即ち、デジタルカメラ１００の背面には、表示ユニット（ＬＣＤ）３０及びファインダ５０が設けられるとともに、ＩＣカードリーダ／ライタ１５が非接触ＩＣカード２００との情報交換を行い得る読み込みエリアエリア６０が設定されている。デジタルカメラ１００の背面には、更に、非接触ＩＣカード２００からデータを読み込む際に操作されるべきＩＣカード読み込み実行ボタン４２が設けられている。また、デジタルカメラ１００の上面にはレリーズボタン４１が設けられるとともに、その側面にはメモリカード３００の装着がなされるスロット７０が形成されている。
【００２６】
前述した構成となるデジタルカメラ１００による被写体の撮影に際しては、図３に示す手順に従って処理がなされる。
【００２７】
図３において、ＣＰＵ１７は、操作ユニット４０の操作がなされると、その操作が新規著作権情報の埋め込み要求に係る所定の操作であるか否かを判定する（Ｓ１１）。例えば、デジタルカメラ１００を他人から借りて被写体を撮影する操作者（利用者）が操作ユニット４０により前記所定の処理を行った場合、ＣＰＵ１７は、操作ユニット４０での操作が新規著作権情報の埋め込み要求に係る所定の操作であるとの判定を行い（Ｓ１１でＹＥＳ）、次いで、著作権情報の読み込み処理の制御を行う（Ｓ１２）。この著作権情報の読み込み処理では、操作者が読み込みエリア６０に非接触ＩＣカード２００をかざしてＩＣカード読み込み実行ボタン４２を操作すると、非接触ＩＣカード２００とＩＣカードリーダ／ライタ１５との情報交換がなされ、ＩＣカードリーダ／ライタ１５が非接触ＩＣカード２００に格納された著作権情報を読み込む。なお、ＩＣカード読み込み実行ボタン４２を操作してから所定時間以内に非接触ＩＣカード２００を読み込みエリア６０にかざしたときに非接触ＩＣカード２００から著作権情報がＩＣカードリーダ／ライタ１５によって読み込まれるようにすることもできる。
【００２８】
ＣＰＵ１７は、ＩＣカードリーダ／ライタ１５による著作権情報の読み込みが成功したか否かを判定する（Ｓ１３）。その読み込みが成功していない場合には（Ｓ１３でＮＯ）、ＣＰＵ１７は、読み込みを中止にするか否かの確認メッセージを表示ユニット３０に表示させ、操作ユニット４０により読み込み中止操作がなされるか否かの判定を行う（Ｓ１４）。前記読み込み中止操作がなされることなくリトライの操作がなされると（Ｓ１４でＮＯ）、著作権情報の読み込み処理が再度行われる（Ｓ１２）。
【００２９】
ＩＣカードリーダ／ライタ１５によって正常に著作権情報が非接触ＩＣカード２００から読み込まれ、その著作権情報がデータＲＡＭ１６に格納されると、ＣＰＵ１７は、著作権情報の読み込みが成功したとの判定を行い（Ｓ１３でＹＥＳ）、次いで、撮影処理の制御を行なう（Ｓ１５）。この画像の撮影処理では、カメラユニット２０にて撮影される画像に対応した画像信号がＡ／Ｄコンバータ１１によって画像データ（例えば、画素単位の輝度データ）に変換され、その画像データがイメージＲＡＭ１２に格納される。そして、そのイメージＲＡＭ１２に格納された画像データが表示ユニット３０に供給され、その画像データに基づいた画像が表示ユニット３０に表示される。この状態で操作者がレリーズボタン４１を押すと、イメージＲＡＭ１２に格納される画像データ（表示ユニット３０に表示された画像に対応）がデータ変換部１３に取り込まれる。
【００３０】
このようにして画像の撮影処理が終了すると、ＣＰＵ１７は著作権情報の埋め込み処理の制御を行う（Ｓ１６）。この著作権情報の埋め込み処理では、データＲＡＭ１６に格納された前記著作権情報がデータ変換部１３に供給される。データ変換部１３は、イメージＲＡＭ１２から取り込んだ画像データとデータＲＡＭ１６からの著作権情報とを用いて、例えば、電子透かしの手法に従って著作権情報の埋め込まれた圧縮画像データを生成する。即ち、画像データを圧縮する過程で、著作権情報に基づいてその画像データの輝度変調や空間周波数の変調を行うことによりその著作権情報を電子透かしとして埋め込んだ圧縮画像データが得られる。なお、著作権情報の埋め込み処理は電子透かしの手法に従った処理に限られず、例えば、画像データと著作権情報とを単に重ね合わせるようにしてもよい。
【００３１】
著作権情報の埋め込み処理が終了すると、ＣＰＵ１７は画像の出力処理の制御を行う（Ｓ１８）。この画像の出力処理では、データ変換部１３にて生成された著作権情報の埋め込まれた圧縮画像データがメモリカードコントローラ１４に供給される。そして、メモリカードコントローラ１４がスロット７０に装着されたメモリカード３００に前記著作権情報の埋め込まれた圧縮画像データを書き込む。これにより、著作権情報の埋め込まれた圧縮画像データがメモリカード３００に保存される。なお、著作権情報の埋め込まれた圧縮画像データをデジタルカメラ１００内に設けられた不揮発性メモリ（図示略）内に保存することもできる。
【００３２】
なお、前述した著作権情報の読み込み処理（Ｓ１２）の終了後にＣＰＵ１７によってその読み込みが成功しなかったとの判定がなされた状況において（Ｓ１３でＮＯ）、操作者が操作ユニット４０により中止操作を行うと（Ｓ１４でＹＥＳ）、ＣＰＵ１７は、例えば、撮影を継続するか否かの確認メッセージを表示ユニット３０に表示させ、操作ユニット４０により撮影の継続操作がなされるか否かの判定を行う（Ｓ１７）。継続操作がなされることなく操作ユニット４０により終了操作がなされると（Ｓ１７でＮＯ）、処理が終了する。一方、操作ユニット４０により継続操作がなされると（Ｓ１７でＹＥＳ）、画像の撮影処理（Ｓ１５）、著作権情報の埋め込み処理（Ｓ１６）及び画像の出力処理（Ｓ１８）が順次実行される。この場合、著作権情報の埋め込み処理（Ｓ１６）では、著作権情報の以前の読み込み処理にてデータＲＡＭ１６に既に格納されている著作権情報が用いられる。
【００３３】
また、前記新規著作権情報の埋め込み要求に係る所定の操作がなされることなく、画像の撮影処理の操作（例えば、レリーズボタン４１の押下操作）がなされると（Ｓ１１でＮＯ）、著作権情報の読み込み処理（Ｓ１２）がなされることなく、画像の撮影処理（Ｓ１５）、著作権情報の埋め込み処理（Ｓ１６）及び画像の出力処理（Ｓ１８）が順次実行される。この場合も、著作権情報の埋め込み処理（Ｓ１６）では、データＲＡＭ１６に既に格納されている著作権情報が用いられる。
【００３４】
以上、本発明の第一の実施の形態に係るデータ生成装置（デジタルカメラ１００）によれば、操作者が自己の著作権情報の記憶された非接触ＩＣカード２００からその著作権情報をデジタルカメラ１００に読み取らせた状態で撮影を行なうと、撮影画像に対応した画像データ（圧縮画像データ）に操作者自らの著作権情報が埋め込まれる。従って、著作権保護を希望する複数の利用者によってデジタルカメラ１００を利用する場合であっても、その利用が容易になり、また、デジタルカメラ１００において著作権情報の登録管理を特に行なわなくても、使用者固有の著作権情報を確実に埋め込んだ圧縮画像データを生成することができるようになる。
【００３５】
次に本発明の第二の実施の形態に係るデータ生成装置について説明する。本発明の第二に実施の形態に係るデータ生成装置は、操作者の指紋認証がなされる点で本発明の第一の実施の形態に係るデータ再生装置と相違している。
【００３６】
本発明の第二の実施の形態に係るデータ再生装置は図４に示すように構成される。このデータ生成装置も、第一の実施の形態の場合と同様に、デジタルカメラである。
【００３７】
図４において、デジタルカメラ１００は、図１に示すものと同様に、カメラユニット２０、表示ユニット３０、操作ユニット４０、Ａ／Ｄコンバータ１１、イメージＲＡＭ１２、データ変換部１３、メモリカードコントローラ１４、ＩＣカードリーダ／ライタ１５、データＲＡＭ１６及びＣＰＵ１７を有し、更に、指紋検出器１８を有する。カメラユニット２０の外表面（例えば、レリーズボタン４１の上面）には指紋の検出窓が設けられている。指紋検出器１８は、
その検出窓にあてがわれた操作者の指の指紋の光学像を取得し、その光学像を電気信号に変換して指紋の画像データ（以下、指紋データという）を生成する。指紋検出器１８にて生成された指紋データは、個人識別データ（操作者識別情報）としてＣＰＵ１７に供給される。
【００３８】
デジタルカメラ１００のＩＣカードリーダ／ライタ１５と情報交換を行う非接触ＩＣカード２００には、図５に示すようなデータテーブル８０が格納されている。このデータテーブル８０は、著作権情報とその著作権情報を使用可能な操作者を特定する個人識別データとの対応関係を記述している。即ち、著作権情報８１がそれを使用可能な３人の操作者の個人識別データ８２、８３、８４に対応付けられ、著作権情報８５がそれを使用可能な２人の操作者の個人識別データ８６、８７に対応付けられている。非接触ＩＣカード２００は、更に、著作権情報８１、８５及び個人識別データ８２、８３、８４、８６、８７そのものも格納している。各個人識別データ２、８３、８４、８６、８７は、対応する操作者の指紋データとなる。
【００３９】
このような構成となるデジタルカメラ１００による被写体の撮影に際しては、図６に示す手順に従って処理がなされる。
【００４０】
図６において、新規著作権情報の埋め込み要求に係る所定の操作がなされたとの判定がなされると（Ｓ３１でＹＥＳ）、ＣＰＵ１７は、著作権情報及び個人識別情報の読み込み処理の制御を行う（Ｓ３２）。この著作権情報及び個人識別データの読込み処理では、操作者が読み込みエリア６０（図２参照）に非接触ＩＣカード２００をかざしてＩＣカード読み込み実行ボタン４２を操作すると、非接触ＩＣカード２００とＩＣカードリーダ／ライタ１５との情報交換がなされ、ＩＣカードリーダ／ライタ１５が非接触ＩＣカード２００に格納された著作権情報８１、８２及び個人識別データ８２、８３、８４、８６、８７と図５に示すデータテーブル８０を読み込む。
【００４１】
ＣＰＵ１７は、ＩＣカードリーダ／ライタ１５による著作権情報、個人識別データ及びデータテーブル８０の読込みが成功したか否かを判定する（Ｓ３３）。その読み込みが成功していない場合には（Ｓ３３でＮＯ）、ＣＰＵ１７は、読み込みを中止にするか否かの確認メッセージを表示ユニット３０に表示させ、操作ユニット４０により読み込み中止操作がなされるか否かの判定をおこなう（Ｓ３４）。前記読み込み中止操作がなされることなくリトライの操作がなされると（Ｓ３４でＮＯ）、著作権情報、個人識別データ及びデータテーブル８０の読込み処理が再度行われる（Ｓ３２）。
【００４２】
ＩＣカードリーダ／ライタ１５によって正常に著作権情報、個人識別データ及びデータテーブル８０が非接触ＩＣカード２０から読み込まれ、それらがデータＲＡＭ１６に格納されると、ＣＰＵ１７は、著作権情報、個人識別データ及びデータテーブル８０の読込みが成功したとの判定を行い（Ｓ３３でＹＥＳ）、次いで、個人識別データの入力処理の制御を行う（Ｓ３５）。この個人識別データの入力処理では、カメラユニット２０の指紋検出窓にあてがわれた操作者の指の指紋が指紋検出器１８にて検出され、その指紋に対応した画像データが個人識別データとして指紋検出器１８からＣＰＵ１７に供給される。
【００４３】
個人識別データの入力処理が終わると、ＣＰＵ１７は、データＲＡＭに格納された個人識別データ８２、８３、８４、８６、８７と指紋検出器１８から供給された個人識別データ（指紋データ）との照合処理を行う（Ｓ３７）。この照合処理において、前記個人識別データ８２、８３、８４、８６、８７に指紋検出器１８から供給された個人識別データが含まれないとの判定がなされると（Ｓ３７でＮＯ）、ＣＰＵ１７は、個人識別データの再入力を行なうか否かの確認メッセージを表示ユニット３０に表示させ、操作ユニット４０により再入力操作がなされるか否かの判定を行う（Ｓ３９）。ここで、操作者が操作ユニット４０により再入力操作を行うと（Ｓ３９でＹＥＳ）、ＣＰＵ１７の制御のもと個人識別データの入力処理が行なわれる（Ｓ３５）。即ち、指紋検出器１８が、カメラユニット２０の指紋検出窓にあてがわれた操作者の指の指紋を検出し、指紋データを個人識別データとしてＣＰＵ１７に供給する。そして、再度個人識別データの照合処理が行われる（Ｓ３７）。
【００４４】
個人識別データの照合処理において、前記個人識別データ８２、８３、８４、８６、８７に指紋検出器１８から供給された個人識別データが含まれているとの判定がなされると（Ｓ３７でＹＥＳ）、ＣＰＵ１７は、画像の撮影処理の制御を行なう（Ｓ３８）。この画像の撮影処理では、カメラユニット２０にて撮影される画像に対応した画像信号がＡ／Ｄコンバータ１１によって画像データに変換され、その画像データがイメージＲＡＭ１２に格納される。そして、そのイメージＲＡＭ１２に格納された画像データが表示ユニット３０に供給され、その画像データに基づいた画像が表示ユニット３０に表示される。この状態で操作者がレリーズボタン４１を操作すると、イメージＲＡＭ１２に格納される画像データ（表示ユニット３０に表示された画像に対応）がデータ変換部１３に取り込まれる。
【００４５】
このようにして画像の撮影処理が終了すると、ＣＰＵ１７は著作権情報の埋め込み処理の制御を行う（Ｓ４１）。この著作権情報の埋め込み処理では、ＣＰＵ１７が、前記照合処理において指紋検出器１８から供給された個人識別データ（指紋データ）と一致するものとして判定された個人識別データ、例えば、個人識別データ８２（図５参照）に対応する著作権情報をデータＲＡＭ１６に格納されたデータテーブル８０を参照して検索する。そして、ＣＰＵ１７の制御のもと、その検索の結果得られた著作権情報８１がデータＲＡＭ１６からデータ変換部１３に供給される。データ変換部１３は、イメージＲＡＭ１２から取り込んだ画像データとデータＲＡＭ１６からの著作権情報８１とを用いて、例えば、電子透かしの手法に従って著作権情報８１の埋め込まれた圧縮画像データを生成する。
【００４６】
著作権情報の埋め込み処理が終了すると、ＣＰＵ１７は画像の出力処理の制御を行う（Ｓ４３）。この画像の出力処理では、第一の実施の形態の場合と同様の手順に従って、著作権情報８１の埋め込まれた圧縮画像データがメモリカード３００に書き込まれる。
【００４７】
一方、個人識別データの照合処理（Ｓ３７）において、前記個人識別データ８２、８３、８４、８６、８７に入力処理（Ｓ３５）にて得られた個人識別データが含まれていないとの判定がなされ（Ｓ３７でＮＯ）、更に、操作ユニット４０により再入力の操作が行われないとの判定がなされると（Ｓ３９でＮＯ）、ＣＰＵ１７は、例えば、撮影を継続するか否かの確認メッセージを表示ユニット３０に表示させ、操作ユニット４０により撮影の継続操作がなされるか否かの判定を行う（Ｓ４０）。継続操作がなされることなく操作ユニット４０により終了操作がなされると（Ｓ４０でＮＯ）、処理が終了する。一方、操作ユニット４０により継続操作がなされると（Ｓ４０でＹＥＳ）、ＣＰＵ１７の制御のもと、画像の撮影処理がなされる（Ｓ４２）。この画像の撮影処理では、前述した処理と同様にしてカメラユニット２０にて撮影される画像に対応した画像信号から画像データが生成され、その画像データがイメージＲＡＭ１２を介してデータ変換部１３に取り込まれる。この場合、データテーブル８０にて管理される個人識別データに一致する個人識別データ（指紋データ）が入力されていないので、画像の撮影処理（Ｓ４２）の後、著作権の埋め込み処理（Ｓ４１）がなされることなく、画像の出力処理（Ｓ４３）がなされる。従って、データ変換部１３にて得られる圧縮画像データには著作権情報が埋め込まれず、その著作権情報が埋め込まれていない圧縮画像データがメモリカード３００に書き込まれる。
【００４８】
なお、前述した著作権情報、個人識別データ及びデータテーブル８０の読込み処理（Ｓ３２）の終了後にＣＰＵ１７によってその読み込みが成功しなかったとの判定がなされた状況において（Ｓ３３でＮＯ）、操作者が操作ユニット４０により中止操作を行うと（Ｓ３４でＹＥＳ）、ＣＰＵ１７は、例えば、撮影を継続するか否かの確認メッセージを表示ユニット３０に表示させ、操作ユニット４０により撮影の継続操作がなされるか否かの判定を行う（Ｓ３６）。継続操作がなされることなく操作ユニット４０により終了操作がなされると（Ｓ３７でＮＯ）、処理が終了する。一方、操作ユニット４０により継続操作がなされると（Ｓ３６でＹＥＳ）、個人識別データの入力処理（Ｓ３５）がなされ、その後、個人識別データの照合処理（Ｓ３７）がなされる。この場合、非接触ＩＣカード２００から個人識別データが取得されていないので、この個人識別データの照合処理では、入力処理（Ｓ３５）にて得られた個人識別データ（指紋データ）と、著作権情報、個人識別データ及びデータテーブル８０の以前の読み込み処理にてデータＲＡＭ１６に既に格納されている個人識別データとの照合がなされる。
【００４９】
そして、データＲＡＭ１６に既に格納された個人識別データのなかに入力処理により得られた個人識別データと一致するものがあると（Ｓ３７でＹＥＳ）、前述した手順と同様の手順に従って、画像の撮影処理（Ｓ３８）、著作権情報の埋め込み処理（Ｓ４１）及び画像の出力処理（Ｓ４３）がなされる。
【００５０】
以上、本発明の第二の実施の形態に係るデータ生成装置（デジタルカメラ１００）によれば、指紋データとして入力された個人識別データが非接触ＩＣカード２００から著作権情報とともに読み込まれた複数の個人識別情報のいずれかに一致した場合に、その個人識別データに対応する著作権情報の埋め込まれた圧縮画像データが生成される。従って、著作権情報の使用可能である者として認証された操作者だけが、撮影により得られた画像データ（圧縮画像データ）にその著作権情報を埋め込むことができるようになる。また、非接触ＩＣカード２００を用いて著作権情報及び個人識別データをデジタルカメラ１００に取り込ませることができるので、著作権保護を希望する複数の利用者によってデジタルカメラ１００を利用する場合であっても、その利用が容易になり、デジタルカメラ１００において著作権情報及び個人識別データの登録管理を特に行なわなくても、使用者固有の著作権情報を確実に埋め込んだ圧縮画像データを生成することができるようになる。
【００５１】
なお、本発明の第二の実施の形態に係るデータ生成装置（デジタルカメラ１００）では、個人識別データとして指紋データを用いたが、他の形式の個人識別データ、例えば、虹彩、声紋などの他の生体データや、パスワード等のテキストデータを個人識別データとして用いることもできる。例えば、パスワードを個人識別データとして用いる場合、図７に示すようなパスワード入力ユニット９０が用いられる。このパスワード入力ユニット９０は、データ生成装置に一体的に設けられる（例えば、デジタルカメラ１００の操作ユニット４０に含められる）ものであっても、接続機器を用いてデータ生成装置に接続されるものであってもよい。パスワード入力ユニット９０は、表示部９１、テンキー部９２、エンターキー９３及びクリアキー９４を備えている。テンキー部９２のキー操作により所定桁数の数字列となるパスワードの入力がなされる。このとき表示部９１には入力された数字に対応して＊印が表示される。そして、エンターキー９３の操作により、その入力されたパスワードがデータ生成装置に取り込まれる。なお、クリアキー９４によって入力された数字の取消を行なうことができる。
【００５２】
また、個人識別データとして虹彩データを用いる場合、例えば、操作者がファインダ５０を覗いたときに、その操作者の虹彩を表すデータ（虹彩データ）がデジタルカメラ１００に取り込まれるように構成することができる。
【００５３】
前述した本発明の第一の実施の形態及び第二の実施の形態に係るデータ生成装置となるデジタルカメラ１００では、非接触ＩＣカード２００と情報交換を行うＩＣカードリーダ／ライタ１５がデジタルカメラ１００内に設けられるものであったが、ＩＣカードリーダ／ライタ１５を、図８及び図９に示すように、デジタルカメラ１００の外部に設けることも可能である。これらの例では、読み取り装置１８０がケーブル１８１によってデジタルカメラ１００に接続される。読み取り装置１８０の内部にはＩＣカードリーダ／ライタが設けられている。特に、図９に示す例では、ＩＣカード読み込み実行ボタン１８５も読み取り装置１８０に設けられている。これらの例では、非接触ＩＣカード２００を読み取り装置１８０にかざしてＩＣカード読み込み実行ボタン４１（１８５）を操作すると、読み取り装置１８０内のＩＣカードリーダ／ライタが非接触ＩＣカード２００から情報（著作権情報、個人識別データ）を読み込み、その情報をケーブル１８１を介してデジタルカメラ１００（データＲＡＭ１６）に供給する。
【００５４】
なお、ＩＣカード読み込み実行ボタン４２を設けることなく、レリーズボタン４１にＩＣカード読み込み実行ボタン４２の機能を持たせることも可能である。この場合、例えば、レリーズボタン４１の操作の仕方で、画像の撮影操作なのか、非接触ＩＣカード２００の読み取り操作なのかを区別することができる。また、ＩＣカード読み込み実行ボタン４２を設けることなく、非接触ＩＣカード２００を読み込みエリア６０にかざしたときに自動的に著作権情報等がデジタルカメラ１００に取り込まれるようにすることもできる。
【００５５】
また、第一の実施の形態及び第二の実施の形態では、著作権情報及び個人識別データが非接触ＩＣカード２００からデジタルカメラ１００に取り込まれるようしたが、他の外部ユニットから著作権情報及び個人識別データを非接触的にデジタルカメラ１００に取り込ませることもできる。例えば、ＰＤＡ（Ｐｅｒｓｏｎａｌ  Ｄｉｇｉｔａｌ  Ａｓｓｉｓｔａｎｔ）や携帯電話機から近距離無線通信（赤外線、Ｂｌｕｅｔｏｏｔｈ等）により著作権情報及び個人識別データをデジタルカメラ１００に取り込ませるようにしてもよい。
【００５６】
更に、データ生成装置はデジタルカメラ１００に限定されることなく、例えば、銀鉛フィルムを用いた光学カメラであってもよい。この場合、その光学カメラには著作権情報を銀鉛フィルムに露光する機構が設けられることになる。更に、データ生成装置は、音楽データを生成する装置、ＣＧ（Ｃｏｍｐｕｔｅｒ  Ｇｒａｐｈｉｃｓ）データを生成する装置、動画像を生成するビデオカメラ装置等、他の種類のデータを生成する装置であってもよい。
【００５７】
【発明の効果】
以上、説明したように、本願発明によれば、操作者は、非接触ＩＣカード等の外部ユニットから自己の著作権情報を著作権情報取得手段に非接触的に取得させることにより、その著作権情報の埋め込まれたデータを生成することができるので、著作権保護を希望する複数の利用者にて利用することが容易で、かつ複数の使用者の個人情報や著作権情報を予め登録管理しなくても、使用者毎の著作権情報を確実に埋め込んだデータを生成することのできるデータ生成装置を提供することができるようになる。
【図面の簡単な説明】
【図１】本発明の第一の実施の形態に係るデータ生成装置を示すブロック図
【図２】本発明の第一の実施の形態に係るデータ生成装置となるデジタルカメラの外部外観図
【図３】本発明の第一の実施の形態に係るデータ生成装置での処理の流れを示すフローチャート
【図４】本発明の第二の実施の形態に係るデータ生成装置を示すブロック図
【図５】著作権情報と個人識別データとの対応関係を記述したデータテーブルを示す図
【図６】本発明の第二の実施の形態に係るデータ生成装置での処理の流れを示すフローチャート
【図７】個人識別データとしてパスワードを入力するためのパスワード入力ユニットを示す図
【図８】本発明の実施の形態に係るデータ生成装置となるデジタルカメラの他の構成例を示す外観図
【図９】本発明の実施の形態に係るデータ生成装置となるデジタルカメラの更に他の構成例を示す外観図
【符号の説明】
１１  Ａ／Ｄコンバータ
１２  イメージＲＡＭ
１３  データ変換部
１４  メモリカードコントローラ
１５  ＩＣカードリーダ／ライタ
１６  データＲＡＭ
１７  ＣＰＵ
２０  カメラユニット
３０  表示ユニット
４０  操作ユニット
４１  レリーズボタン
４２  ＩＣカード読み込み実行ボタン
５０  ファインダ
６０  読み取り領域
７０  メモリカードスロット
８０  データテーブル
８１、８５  著作権情報
８２、８３、８４、８６、８７  個人識別データ
９０  パスワード入力ユニット
９１  表示部
９２  キー操作部
９３  エンターキー
９４  クリアキー
１００  デジタルカメラ
２００  非接触ＩＣカード
３００  メモリカード
【図１】
2004343310.tif 000003
【図２】
2004343310.tif 000004
【図３】
2004343310.tif 000005
【図４】
2004343310.tif 000006
【図５】
2004343310.tif 000007
【図６】
2004343310.tif 000008
【図７】
2004343310.tif 000009
【図８】
2004343310.tif 000010
【図９】
2004343310.tif 000011